(57)【要約】【課題】使用後の医療・介護用容器に対して再利用と廃棄処理とを使い分けることができるとともに、いずれも処理することができる処理装置を提供する。【解決手段】医療・介護用容器の処理装置は、筐体内に、ノズルから噴射される洗浄液で再利用可能な容器を洗浄可能な第１処理槽と、該第１処理槽の下方に配置され、液を貯留可能であって使い捨て容器が投入されるシンク、及び該シンク内の液に前記使い捨て容器を浸して分解可能な第２処理槽と、前記第１処理槽と前記第２処理槽との間を仕切る仕切り部材と、を備え、前記仕切り部材の一部に、前記第１処理槽から流下する洗浄液を前記第２処理槽の前記シンクに流下可能な連通口部が形成されており、前記液の全部又は一部に前記第１処理槽から流下する洗浄液を含むことが可能である。【選択図】      図５
2019058273.tif 000002
【特許請求の範囲】
【請求項１】
筐体内に、
ノズルから噴射される洗浄液で再利用可能な容器を洗浄可能な第１処理槽と、
該第１処理槽の下方に配置され、液を貯留可能であって使い捨て容器が投入されるシンク、及び該シンク内の液に前記使い捨て容器を浸して分解可能な第２処理槽と、
前記第１処理槽と前記第２処理槽との間を仕切る仕切り部材と、を備え、
前記仕切り部材の一部に、前記第１処理槽から流下する洗浄液を前記第２処理槽の前記シンクに流下可能な連通口部が形成されており、
前記液の全部又は一部に前記第１処理槽から流下する洗浄液を含むことが可能であることを特徴とする医療・介護用容器の処理装置。
【請求項２】
前記仕切り部材は、前記シンクの上部を閉鎖可能な蓋部を有しており、
前記蓋部は、
前記連通口部が接続される上部から前記シンクが接続される下部に向けて漸次拡径するテーパ状の天井部と、
該天井部の上部内側に、前記連通口部から流下する洗浄液を受けて前記天井部の下面に向けて前記洗浄液の流れを案内する流水受け部と、を有することを特徴とする請求項１に記載の医療・介護用容器の処理装置。
【請求項３】
前記第１処理槽及び前記第２処理槽の前方を開閉可能な扉が設けられ、
前記仕切り部材は、前記扉の開閉と連動して前記シンクの上部の前記蓋部を開閉可能に設けられており、
前記扉を開けたときに、前記シンクの上部を開放して前記第２処理槽の前方から前記使い捨て容器を前記シンク内に投入可能とし、
前記扉を閉じたときに、前記シンクの上部を前記蓋部により閉じて、前記第１処理槽から流下する洗浄液を前記連通口部を介して前記シンク内に流入可能とすることを特徴とする請求項２に記載の医療・介護用容器の処理装置。
【請求項４】
前記扉は、前記第１処理槽及び前記第２処理槽の前面に沿って上下移動することにより各処理槽の前方を開閉するものであり、
前記仕切り部材は、後方側を支点とし、前方側が上下に回動可能に設けられていることを特徴とする請求項３に記載の医療・介護用容器の処理装置。
【請求項５】
前記仕切り部材は、前記筐体の後方側から前方側にかけて漸次上方に向けて傾斜して設けられ、前記仕切り部材の後端部に前記連通口部が設けられており、
前記第２処理槽に、前記仕切り部材の下面に向けて前記液を噴射し、前記シンク内に前記液を供給するシンク用ノズルが設けられていることを特徴とする請求項１に記載の医療・介護用容器の処理装置。
【発明の詳細な説明】
【技術分野】
【０００１】
本発明は、医療分野や介護分野で用いられている汚物処理のための容器を処理するための処理装置に関する。
【背景技術】
【０００２】
医療分野や介護分野で用いられている容器として、患者の排泄物などの汚物を処理するための便器や尿器等の容器がある。これら容器を洗浄して再利用するための洗浄装置として、例えば特許文献１又は特許文献２に開示のものがある。
特許文献１に開示の装置（ベッドパン洗浄機）は、その前面から下方に開口する前蓋にベッドパンを取り付けられるようになっており、ベッドパンを取り付けて前蓋を閉じると、ベッドパンが１８０°回転させられ、洗浄液噴射ノズルから洗浄液を噴射してヘッドパンの汚物の放出と洗浄を行うことができるようになっている。
【０００３】
一方、特許文献２に開示の装置は、洗浄装置内に、容器を支持するための支持具が設けられており、その支持具が複数本の支柱を組み合わせた構成とされ、種々な寸法、形状の容器を支持することができるようになっている。
この種の洗浄装置においては、容器の再利用のため、洗浄とともに消毒して再利用時の感染を防止する必要がある。また、病院等の施設においては、ある程度、容器をストックしておく必要があるが、尿器等の筒状の容器では重ねることができずに嵩張るために、狭い汚物処理室などでは保管場所を確保するのが困難になっている。
【０００４】
このような再利用可能な容器に対して、水等により分解可能なパルプなどにより形成された容器も開発されており、そのような容器は、特許文献３や特許文献４に示すように、シンク（攪拌タンク、攪拌槽）内に汚物とともに投入して、水と一緒に撹拌しながら破砕した後に廃棄処理している。この種の使い捨てタイプの容器は再利用せず、容器ごと廃棄しているので、感染のリスクは非常に少なくなる。また、消毒の工程が不要であるため作業時間が短く、また、容器をシンク等に設置する作業も不要で、単にシンク内に容器を投入すればよいので、看護師等の作業の手間を大幅に軽減することができる。
【先行技術文献】
【特許文献】
【０００５】
【特許文献１】実用新案登録第３０３５５８４号公報
【特許文献２】特開２００５‐２５４０６３号公報
【特許文献３】特開２０００‐１６７５２７号公報
【特許文献４】特開２００１‐２５６７５号公報
【発明の概要】
【発明が解決しようとする課題】
【０００６】
ところで、看護病棟で比較的多く使用される容器に陰洗ボトルがあるが、このようなボトルは分解可能なパルプで作製することができず、別途、洗浄、消毒する必要がある。また、すべての容器を使用の都度、廃棄処理するにはランニングコストが増大する。
【０００７】
本発明は、このような事情に鑑みてなされたもので、使用後の医療・介護用容器に対して再利用と廃棄処理とを使い分けることができるとともに、いずれも処理することができる処理装置を提供することを目的とする。
【課題を解決するための手段】
【０００８】
本発明の医療・介護用容器の処理装置は、筐体内に、ノズルから噴射される洗浄液で再利用可能な容器を洗浄可能な第１処理槽と、該第１処理槽の下方に配置され、液を貯留可能であって使い捨て容器が投入されるシンク、及び該シンク内の液に前記使い捨て容器を浸して分解可能な第２処理槽と、前記第１処理槽と前記第２処理槽との間を仕切る仕切り部材と、を備え、前記仕切り部材の一部に、前記第１処理槽から流下する洗浄液を前記第２処理槽の前記シンクに流下可能な連通口部が形成されており、前記液の全部又は一部に前記第１処理槽から流下する洗浄液を含むことが可能である。
【０００９】
この医療・介護用容器の処理装置では、第１処理槽において再利用可能な容器の洗浄処理を行い、第２処理槽において使い捨て容器の分解処理を行うことができ、容器に応じて処理槽を使い分け、適切な処理を行わせることができる。
また、医療・介護用容器の処理装置では、第１処理槽と第２処理槽との間に仕切り部材を配置したので、第１処理槽に再利用可能な容器を設置する際に誤って再利用可能な容器を落下させることがあっても、仕切り部材上に落下させることができる。したがって、再利用可能な容器が第２処理槽まで到達することを回避できる。また、第２処理槽で使い捨て容器を攪拌する際に、その衝撃により使い捨て容器の破片や液が上方に飛散するおそれがあるが、第１処理槽と第２処理槽との間に仕切り部材を配置したので、第２処理槽内の飛散物が第１処理槽まで到達することを防止できる。
【００１０】
また、この処理装置では、第１処理槽の下方に第２処理槽を配置し、仕切り部材の一部に形成された連通口部を介して第１処理槽から流下する洗浄液を自然に第１処理槽から第２処理槽へ流下させるようにしたので、ポンプ等の付帯設備が少なくでき、省力化とともに、小型化を図ることができる。また、第１処理槽から流下する洗浄液により、第１処理槽において洗浄処理を行う度に、併せて第２処理槽内の洗浄も行うことができ、処理装置の衛生状態を良好に保つことができる。また、第２処理槽の液の全部又は一部に第１処理槽で使用した洗浄液を使用することで、洗浄液の有効利用を図ることができる。
【００１１】
本発明の医療・介護用容器の処理装置の好ましい実施形態において、前記仕切り部材は、前記シンクの上部を閉鎖可能な蓋部を有しており、前記蓋部は、前記連通口部が接続される上部から前記シンクが接続される下部に向けて漸次拡径するテーパ状の天井部と、該天井部の上部内側に、前記連通口部から流下する洗浄液を受けて前記天井部の下面に向けて前記洗浄液の流れを案内する流水受け部と、を有する。
【００１２】
仕切り部材の連通口部から供給される洗浄液を、流水受け部によって蓋部の天井部の下面に向けて流すことができ、洗浄液を天井部の下面に伝わせてシンク内に流すことができる。したがって、洗浄液により天井部の下面を洗浄しながら、その洗浄液をシンク内に流下させることができ、蓋部とシンクの衛生状態を良好に保つことができる。
【００１３】
本発明の医療・介護用容器の処理装置の好ましい実施形態において、前記第１処理槽及び前記第２処理槽の前方を開閉可能な扉が設けられ、前記仕切り部材は、前記扉の開閉と連動して前記シンクの上部の前記蓋部を開閉可能に設けられており、前記扉を開けたときに、前記シンクの上部を開放して前記第２処理槽の前方から前記使い捨て容器を前記シンク内に投入可能とし、前記扉を閉じたときに、前記シンクの上部を前記蓋部により閉じて、前記第１処理槽から流下する洗浄液を前記連通口部を介して前記シンク内に流入可能とする。
【００１４】
第２処理槽のシンクの上部を開閉する蓋部を、第１処理槽及び第２処理槽の開閉と連動して開閉できるので、扉と蓋部とを個別に操作することなく、作業性を向上できる。
また、扉を閉じているときには、第２処理槽のシンクの上部を蓋部により確実に閉じておくことができるので、使い捨て容器の処理中に洗浄液や液がシンクの周囲に飛散することを回避でき、処理装置の衛生状態を良好に保つことができる。
【００１５】
本発明の医療・介護用容器の処理装置の好ましい実施形態において、前記扉は、前記第１処理槽及び前記第２処理槽の前面に沿って上下移動することにより各処理槽の前方を開閉するものであり、前記仕切り部材は、後方側を支点とし、前方側が上下に回動可能に設けられているとよい。
【００１６】
扉を第１処理槽及び第２処理槽の前面に沿って上下に移動させる構造とすることにより、扉の開閉のためのスペースを処理装置の前方に大きく確保する必要がなく、処理装置の設置スペースを小さくできる。この場合、扉は、各処理槽に個別に設けてもよいし、両処理槽を開閉する単一の扉としてもよい。単一の扉とする場合も、両処理槽を一度に開閉してもよいし、二つの処理槽を順次開放し、かつ順次閉鎖する構造としてもよい。
また、仕切り部材の前方側を上下に回動可能に設けることで、仕切り部材の可動範囲を比較的小さくできるので、処理装置の小型化を図ることができる。
【００１７】
本発明の医療・介護用容器の処理装置の好ましい実施形態において、前記仕切り部材は、前記筐体の後方側から前方側にかけて漸次上方に向けて傾斜して設けられ、前記仕切り部材の後端部に前記連通口部が設けられており、前記第２処理槽に、前記仕切り部材の下面に向けて前記液を噴射し、前記シンク内に前記液を供給するシンク用ノズルが設けられているとよい。
【００１８】
仕切り部材を筐体の後方側から前方側にかけて漸次上方に向けて傾斜して設けることで、第１処理槽から流下する洗浄液を後端部の連通口部に向けて自然に集めることができる。したがって、連通口部を通じて円滑に第２処理槽のシンク内に洗浄液を流下させることができ、洗浄液を有効利用できる。また、第２処理槽内においてシンク用ノズルから噴射された液も、仕切り部材の下面を伝わせて仕切り部材の後端部側に自然に集めることができ、円滑にシンク内に流下させることができる。したがって、液により仕切り部材の下面を洗浄しながら、その液をシンク内に流下させることができ、仕切り部材の衛生状態を良好に保つことができる。
【発明の効果】
【００１９】
本発明によれば、使用後の医療・介護用容器に対して再利用と廃棄処理とを使い分けながらいずれも処理することができる。
【図面の簡単な説明】
【００２０】
【図１】本発明の第１実施形態の医療・介護用容器の処理装置の左側面を紙面の手前に配置した外観斜視図であり、扉が開かれ、第１処理槽及び第２処理槽が開放されている状態を示す。
【図２】図１に示す医療・介護用容器の処理装置の左側面を紙面の手前に配置した外観斜視図であって、筐体の内部を明示したものであり、扉が開かれた状態を示す。
【図３】図１に示す医療・介護用容器の処理装置の右側面図であって、筐体の内部を明示したものであり、扉が開かれた状態を示す。
【図４】図１に示す医療・介護用容器の処理装置の左側面図であって、筐体及びチャンバを二点鎖線で表示して省略し、チャンバの内部の構成を明示したものであり、扉が開かれた状態を示す。
【図５】図１に示す医療・介護用容器の処理装置の左側面図であって、筐体及びチャンバを二点鎖線で表示して省略し、チャンバの内部の構成を明示したものであり、扉が閉じられた状態を示す。
【図６】図１に示す医療・介護用容器の処理装置の左側面を紙面の手前に配置した外観斜視図であって、筐体及びチャンバを二点鎖線で表示して省略し、チャンバの内部の構成を明示したものであり、扉が開かれた状態を示す。
【図７】図１に示す医療・介護用容器の処理装置の左側面を紙面の手前に配置した外観斜視図であって、筐体及びチャンバを二点鎖線で表示して省略し、チャンバの内部の構成を明示したものであり、扉が閉じられた状態を示す。
【図８】支持具の要部斜視図であり、（ａ）が支持具単体であり、（ｂ）が再利用可能な容器を支持具の支柱に外挿した状態を示す。
【図９】仕切り部材の構成を説明するものであり、（ａ）が正面図、（ｂ）が縦断面図である。
【図１０】開閉駆動部の構成を説明する左側面図であり、実線により扉が開かれた状態を示し、二点鎖線により扉が閉じられた状態を示す。
【図１１】本発明の第２実施形態の医療・介護用容器の処理装置の左側面図であって、筐体及びチャンバを二点鎖線で表示して省略し、チャンバの内部を明示したものであり、扉が開かれた状態を示す。
【発明を実施するための形態】
【００２１】
以下、本発明の医療・介護用容器の処理装置の実施形態について、図面を参照して説明する。
［医療・介護用容器の処理装置の全体構成］
第１実施形態の医療・介護用容器の処理装置１０１は、図１に示されるように、縦長直方体状の筐体１内に、再利用可能な容器３１を洗浄可能な第１処理槽１０と、使い捨て容器３２を廃棄可能な第２処理槽２０とを備えており、再利用可能な容器３１であるか、使い捨て容器３２であるかに応じて、第１処理槽１０と第２処理槽２０とを使い分け、適切な処理を行わせることができる。また、この処理装置１０１では、一つの筐体１内に第１処理槽１０と第２処理槽２０とを集約して配置しているので、これらを一体として設置、移動できる。さらに、この処理装置１０１では、図１〜図７に示されるように、第１処理槽１０の下方に第２処理槽２０が配置されており、二つの処理槽１０，２０を上下に配置しているので、病棟内の狭いスペースにも設置することができる。
【００２２】
なお、再利用可能な容器３１としては、例えば尿器、陰洗ボトル、貯尿器、計量カップやメスシリンダー等がある。これらの再利用可能な容器３１はプラスチックやゴム等で成形されたもの、又はガラス製とされ、使用の都度、第１処理槽１０において洗浄することで再使用される。一方、使い捨て容器３２は、例えば便器、差込便器、ポータブルトイレ用バケツ受け等があり、主に感染リスクの高い汚物（大便）を処理するための容器である。また、これ以外にも、ガーグルベースン、膿盆、バット、ユーリパン等の使い捨て容器３２がある。そして、これらの使い捨て容器３２は、例えば、水等により分解可能なパルプ等により形成され、第２処理槽２０において、洗浄液と一緒に撹拌しながら一部を分解（溶解）した後で、廃棄処理される。
【００２３】
また、処理装置１０１の筐体１には、図２〜図７に示すように、第１処理槽１０と第２処理槽２０との前方を開閉可能な扉２と、この扉２の開閉を行う開閉駆動部３とが設けられている。そして、図１に示すように、この扉２を開いて第１処理槽１０及び第２処理槽２０の前方を開放することにより、第１処理槽１０内に再利用可能な容器３１を配置し、第２処理槽２０内に使い捨て容器３２を投入可能となっている。また、処理装置１０１では、第１処理槽１０と第２処理槽２０とが、その前方を単一の扉２で開閉可能に設けられており、開閉駆動部３により扉２を第１処理槽１０及び第２処理槽２０の前面に沿って上下移動（上下方向にスライド）することにより、第１処理槽１０と第２処理槽２０との両方の前方が閉鎖された状態と、第１処理槽１０と第２処理槽２０の前方を開口して両処理槽１０，２０の前方を開放した状態とを選択して、扉２の開閉ができるようになっている。なお、第２処理槽２０の前方のみを開口して第１処理槽１０の前方を閉鎖した状態を選択して開閉させることもできる。
【００２４】
このように、処理装置１０１では、扉２を上下移動させる構造としているので、扉２の開閉のためのスペースを処理装置１０１の前方に大きく確保する必要がなく、処理装置１０１の設置スペースを小さくすることができる。
【００２５】
［第１処理槽の構成］
処理装置１０１の第１処理槽１０は、図４及び図５等に示すように、洗浄液が供給されるチャンバ１１と、チャンバ１１内に配置され再利用可能な容器３１を被洗浄位置に支持するための支持具１２と、チャンバ１１内に洗浄液又は乾燥気体を供給可能なノズル４１，４２とを備えている。
【００２６】
チャンバ１１には、二種類のノズル４１，４２が備えられており、いずれも供給配管９１に接続され、この供給配管９１からノズル４１，４２を通じてチャンバ１１内に洗浄液又は乾燥気体が選択して供給されるようになっている。このうち第１ノズル４１は、チャンバ１１の上部に配置されており、チャンバ１１の上部から下方に向けてチャンバ１１内に洗浄液又は乾燥気体を供給可能となっている。また、もう一つの第２ノズル４２は、支持具１２に取り付けられている。
【００２７】
支持具１２は、図８（ａ）に示すように、分岐された複数の支柱１３（図８（ａ）では８本）を有しており、各支柱１３は、互いに並行して配置されている。また、各支柱１３は基端部において、それぞれ供給配管９１に接続されている。また、支持具１２は、図４〜図８に示すように、その基端部が処理装置１０１の後方側に配置され、先端部が処理装置１０１の前方側に配置されており、処理装置１０１の後方側から前方側にかけて上方に向けて傾斜して取り付けられている。
【００２８】
第１処理槽１０では、図８（ｂ）に示すように、この支持具１２の各支柱１３に再利用可能な容器３１を被せて配置することで、つまり、各支柱１３を容器３１の開口部から内部に差し込み、各支柱１３の先端を容器３１の内部に当接させることにより、容器３１の開口部が斜め下方を向くようにして容器３１を被洗浄位置に支持できるようになっている。また、各支柱１３の先端部のそれぞれには、前述した第２ノズル４２が取り付けられており、供給配管９１から供給された洗浄液又は乾燥気体が、各支柱１３の内部を通じて第２ノズル４２の先端から放出されることにより、容器３１の内部を洗浄又は乾燥できるようになっている。なお、各支柱１３の基端部には、細孔１４が複数設けられており、これらの細孔１４を通じても洗浄液又は乾燥気体が放出されるようになっているので、容器３１の開口部の細部も確実に洗浄又は乾燥できる。
【００２９】
また、支持具１２に支持された容器３１の外周面は、チャンバ１１の上部に配置された第１ノズル４１から洗浄液又は乾燥気体が容器３１の外周面に向けて噴射されることにより洗浄される。なお、各支柱１３の傾斜角度は、第２ノズル４２から容器３１の内部に供給された洗浄液が、自重で容器３１の外部へ流出する角度に設定されており、これに対応して、第２ノズル４２も斜め上方を向くようにして配置される。なお、各支柱１３の傾斜角度は、例えば水平面に対して３０°〜９０°程度とされる。
【００３０】
なお、第１処理槽１０においては、第１ノズル４１及び第２ノズル４２から供給される洗浄液又は乾燥気体によりチャンバ１１内の洗浄又は乾燥を行うこともでき、チャンバ１１内の衛生状態を良好に維持できる。
【００３１】
［第２処理槽の構成］
第２処理槽２０は、液を貯留可能であって使い捨て容器３２が投入されるシンク２１と、そのシンク２１内の液に使い捨て容器３２を浸して攪拌しながらその使い捨て容器３２の一部を分解（溶解）可能な撹拌器２２と、シンク２１内に洗浄液を供給可能な第３ノズル４３とを有する。撹拌機２２には、シンク２１内に貯留された液に水流を生じさせることが可能なもの、使い捨て容器３２を破砕可能なもの等、を好適に用いることができる。なお、第３ノズル４３は供給配管９１に接続されており、この供給配管９１から第３ノズル４３を通じてシンク２１内に洗浄液が供給されるようになっている。
また、第２処理槽２０は第１処理槽１０の下方に配置されており、処理装置１０１の筐体１には、これら第１処理槽１０と第２処理槽２０との間を仕切る仕切り部材７が備えられている。
【００３２】
また、シンク２１の下部には、シンク２１内で分解された容器及び洗浄液を排出可能な排液系８が接続されており、第１処理槽１０で使用された洗浄液は、連通口部７１２を通じて第２処理槽２０のシンク２１内に流下され、シンク２１を経由して排液系８から排出されるようになっている。また、第１処理槽１０で使用された洗浄液と、第２処理槽２０で使用された洗浄液及び処理された容器とが併せて１つの排液系８から外部（下水）に排出されるようになっている。
【００３３】
［仕切り部材の構成］
仕切り部材７は、図９（ａ）及び（ｂ）に示すように、第１処理槽１０から流下する洗浄液を貯留可能な集液部７１と、第２処理槽２０のシンク２１の上部を閉鎖可能な蓋部７２と、を有している。
【００３４】
集液部７１は、上方を開口させた箱状に形成されている。そして、集液部７１の各側面部の下部側は、図９（ｂ）の断面図に示すように、下方に向かうにつれて漸次中央に向かって傾斜するテーパ面により形成されており、第１処理槽１０から流下した洗浄液が底面部に向けて案内されるようになっている。一方、集液部７１の各側面部の上部側は、図９（ｂ）の断面図に示すように、上下方向に沿ったストレート面により形成されており、チャンバ１１（筐体１）の内面に嵌合可能に設けられている。また、集液部７１の上端部の前方部（前方側の側面部の上端）には、押し込みタブ７１１が設けられており、扉２が閉じられる際に、押し込みタブ７１１が扉２の下面（引き下げタブ２１１、図６及び図７参照）によって押し下げられることにより、集液部７１の上部縁の扉２側を除く三方がチャンバ１１の内面と嵌合され、第１処理槽１０と第２処理槽２０との間が閉鎖されるようになっている。
【００３５】
また、集液部７１の底面部の中央部分には、第１処理槽１０から流下する洗浄液を下方に配置された第２処理槽２０のシンク２１に流下可能な連通口部７１２が形成されている。この場合、連通口部７１２は複数（図９（ａ）では４個）の細孔７１３を組み合わせて構成されている。
【００３６】
また、蓋部７２は、図９（ｂ）に示すように、上部から下部に向けて漸次拡径するテーパ状の天井部７２１と、この天井部７２１の上部内側に設けられた円板状の流水受け部７２２と、を有している。そして、天井部７２１の上部に、連通口部７１２が接続されている。一方、天井部７２１の下部は、シンク２１の上部と接続されることにより、シンク２１を閉鎖可能に設けられている。流水受け部７２２は、連通口部７１２と対向して配置されており、図９（ｂ）に矢印Ａで示すように、連通口部７１２から流下する洗浄液を受けて天井部７２１の下面に向けて洗浄液の流れを案内するようになっている。この場合、流水受け部７２２は、軸部７２３を介して集液部７１の底面部に接続されており、集液部７１と一体に設けられている。
【００３７】
なお、図９（ａ）及び（ｂ）において符号７３で表される部材は、カムプレートである。また、図９（ａ）及び（ｂ）において符号７４で表される部材は、ばね部材である。これらのカムプレート７３とばね部材７４についての詳細は、後述する。
【００３８】
このように、処理装置１０１では、第１処理槽１０と第２処理槽２０との間が仕切り部材７により仕切られているので、第１処理槽１０で洗浄を行う再利用可能な容器３１を誤って落下させることがあっても、仕切り部材７上に落下し、第２処理槽２０まで容器３１が到達することを回避できる。また、第１処理槽１０のノズル４１，４２からチャンバ１１内に供給された洗浄液は、連通口部７１２を通じて第２処理槽２０に流下されるようになっており、その洗浄液を第２処理槽２０のシンク２１で貯留することで（溜めることで）、第２処理槽２０の液として使用可能となっている。
【００３９】
［洗浄液の構成］
また、処理装置１０１においては、第１処理槽１０と第２処理槽２０の洗浄液として、微酸性電解水と乾燥促進剤とを混合した液体を用いる。
処理装置１０１には、微酸性電解水を生成する微酸性電解水生成器９１１が備えられている。この微酸性電解水生成器９１１では、希塩酸を電気分解して生成した次亜塩素酸を、水道水と一定の割合で混ぜることにより希釈し、微酸性電解水を生成する。処理装置１０１では、微酸性電解水生成器９１１により生成される微酸性電解水を処理装置１０１の上部のタンク９１２にいったん貯留し、このタンク９１２内に混合器９１３から乾燥促進剤を供給することで、タンク９１２内において微酸性電解水と乾燥促進剤とを混合して洗浄液を生成する。そして、ポンプ９１４により、タンク９１２から供給配管９１、ノズル４１〜４３を通じて、第１処理槽１０及び第２処理槽２０に供給されるようになっている。
【００４０】
微酸性電解水は、陽極と陰極が隔膜で仕切られていない一室型電解装置で、２〜６％塩酸水（希塩酸）を電解することにより生成されるｐＨが５．０〜６．５で、有効塩素が１０〜８０ｐｐｍとされる次亜塩素酸水溶液である。そして、微酸性電解水は、高い殺菌、抗菌、消臭効果を有する一方で、人の健康を損なうおそれがなく、食品添加物に指定されるものである。また、微酸性電解水は塩素臭等もないので、再利用可能な容器３１を洗浄した後の使用も安全である。また、乾燥促進剤は、いわゆる界面活性剤であり、これが付着した物質の濡れ性を高める機能を有している。
【００４１】
このように、処理装置１０１では、殺菌・除菌・消臭効果の強い微酸性電解水を洗浄液として使用することで、容器３１の洗浄、すすぎを行いながら、容器３１の除菌と、各処理槽１０，２０内、配管等も同時に除菌が行える。また、微酸性電解水を用いることで、熱消毒工程を必要としないため、容器３１の洗浄処理時間を短縮できる。
【００４２】
また、上述したように、処理装置１０１では、洗浄液を常温で使用でき、熱消毒工程を必要としないため、熱消毒のための高温の加熱手段（ヒーター）等の設備を必要としない。このため、処理装置１０１を構成する部品は、熱に弱い部品も使用できることから部品を多様化、コストダウンを図ることができ、部品の耐久性にも有利である。また、容器３１の材料として、プラスチックやゴム、又はガラス等の熱に弱い材料も使用可能になる。
【００４３】
［洗浄液及び乾燥気体の供給構造］
なお、処理装置１０１には送風器９１５が備えられており、送風器９１５は、送風配管９２を介して供給配管９１に接続されている。これにより、前述したように、供給配管９１から第１ノズル４１及び第２ノズル４２を通じてチャンバ１１内に乾燥気体を供給可能となっている。
【００４４】
具体的には、供給配管９１は、ポンプ９１４と各ノズル４１〜４３との間に設けられており、タンク９１２からポンプ９１４を介して供給配管９１に洗浄液が供給され、供給配管９１から各ノズル４１〜４３を通じて、第１処理槽１０及び第２処理槽２０に洗浄液が供給されるようになっている。また、送風配管９２は、第２ノズル４２と第３ノズル４３との間において供給配管９１に接続されており、送風器９１５により乾燥気体を第１処理槽１０内に供給されるようになっている。この場合、送風器９１５は、乾燥気体を加熱する加熱器（図示略）を備えており、加熱された乾燥気体が送風配管９２を介して供給配管９１に供給され、供給配管９１から第１ノズル４１及び第２ノズル４２を通じて、第１処理槽１０に乾燥気体が供給されるようになっている。なお、送風器９１５の加熱器は必須ではなく、加熱器を有しないものを用いてもよい。ただし、加熱器を有する送風器９１５を用いることで、加熱器を有しない場合と比べて洗浄後の容器３１の乾燥を促進することができる。
【００４５】
また、前述したように、処理装置１０１においては、洗浄液又は乾燥気体のいずれかを選択して、第１ノズル４１及び第２ノズル４２から第１処理槽１０内に供給可能とされる。つまり、洗浄液をノズル４１〜４３に供給する際には、乾燥気体のノズル４１，４２への供給を停止する。一方、乾燥気体をノズル４１，４２に供給する際には、洗浄液のノズル４１〜４３への供給を停止する。これにより、共通のノズル４１，４２を用いて洗浄液又は乾燥気体のいずれかを第１処理槽１０（チャンバ１１）内に供給できる。
【００４６】
処理装置１０１では、これらの洗浄液又は乾燥気体の選択の制御は、３つの電磁弁８１１〜８１３で構成される供給選択部８１により行われる。供給配管９１は、ポンプの吐出口に接続された接続管９０１と、接続管９０１の先端から２つに分岐された第１分岐管９０２及び第２分岐管９０３と、を備えている。第１分岐管９０２は、第１処理槽１０の第１ノズル４１と第２ノズル４２とに接続されている。また、第２分岐管９０３は、第２処理槽２０の第３ノズル４３に接続されている。そして、第１電磁弁８１１が、第１分岐管９０２の上流側において第２分岐管９０３との分岐部の直後に配置されており、第１分岐管９０２の管路を開閉するようになっている。また、第２電磁弁８１２は、第２分岐管９０３の上流側において第１分岐管９０２との分岐部の直後に配置されており、第２分岐管９０３の管路を開閉するようになっている。一方、第３電磁弁８１３は、送風配管９２の上流側に配置されており、送風配管９２の管路を開閉するようになっている。
【００４７】
第１処理槽１０において再利用可能な容器３１を洗浄する際には、第３電磁弁８１３を閉塞し、乾燥気体の送風配管９２を介する第１分岐管９０２への流通を停止させる。そして、第１電磁弁８１１を開放し、第１分岐管９０２を介して洗浄液を第１ノズル４１及び第２ノズル４２に流通させる。なお、第１処理槽１０において実行される洗浄処理と同時に第２処理槽２０において分解処理が行われる場合には、第２電磁弁８１２も併せて開放し、洗浄液を第２分岐管９０３を介して第３ノズル４３に流通させる。
【００４８】
一方、第１処理槽１０において再利用可能な容器３１を乾燥する際には、第１電磁弁８１１及び第２電磁弁８１２を閉塞し、第１分岐管９０２を介する第１ノズル４１及び第２ノズル４２への洗浄液の流通と、第２分岐管９０３を介する第３ノズル４３への洗浄液の流通と、と停止させる。そして、第３電磁弁８１３を開放し、送風配管９２から第１分岐管９０２を介して乾燥気体を第１ノズル４１及び第２ノズル４２に流通させる。このように、処理装置１０１では、第１電磁弁８１１及び第３電磁弁８１３のいずれかを開放し、他方を閉塞することで、第１処理槽１０（チャンバ１１）内に洗浄液又は乾燥気体のいずれかを供給できる。なお、第２電磁弁８１２は、第２処理槽２０における処理に応じて開閉される。
【００４９】
［扉及び仕切り部材の開閉機構］
また、本実施形態の処理装置１０１においては、仕切り部材７が、筐体１の扉２の開閉と連動して、シンク２１の上部を蓋部７２により開閉可能に設けられている。この場合、仕切り部材７は、図１０に示すように、筐体１の後方側を支点とし、前方側を大きく回動可能に設けられている。そして、図２及び図６に示すように、扉２を開けて第２処理槽２０の前方を開放したときに、蓋部７２によりシンク２１の上部を開放して、第２処理槽２０の前方から使い捨て容器３２をシンク２１内に投入可能となっている。また、図５及び図７に示すように、扉２を閉じて第２処理槽２０の前方を閉鎖したときには、シンク２１の上部を蓋部７２により閉じて、第１処理槽１０から流下する洗浄液を連通口部７１２を介してシンク２１内に流入可能となっている。
【００５０】
処理装置１０１では、扉２と蓋部７２とを開閉する開閉駆動部３が、図２及び図１０等に示すように、扉２に駆動力を付与するためのアクチュエータ４と、扉２を上下方向に案内するとともに、仕切り部材７の蓋部７２を開閉方向に案内するためのガイド機構５とを有する構成とされる。
【００５１】
本実施形態においては、図１０に示すように、アクチュエータ４が電動のアクチュエータにより構成されており、図１０において実線と二点鎖線で示したように伸縮駆動可能とされる。また、ガイド機構５は、扉２を上下方向に案内するガイドレール部５１と、扉２に駆動力を伝達する２つの第１アーム部材５２１及び第２アーム部材５２２からなる第１リンク部５２とを備えている。さらに、ガイド機構５は、仕切り部材７に駆動力を伝達する第２リンク部５３を備えており、第２リンク部５３は第１リンク部５２に接続され、第１リンク部５２に連動して仕切り部材７に駆動力を伝達するようになっている。この場合、仕切り部材７自体が第２リンク部５３の一部を構成しており、第２リンク部５３は、第３アーム部材５２３と、仕切り部材７と、第４アーム部材５２４とにより構成されている。
【００５２】
このうち、扉２の移動を案内するガイドレール部５１には、上下方向に延びる溝部５１１が形成されており、扉２の側面部には、この溝部５１１に係合する軸部２９１〜２９３が設けられている。このため、扉２は、溝部５１１の延伸方向（上下方向）に沿って、移動が案内されるようになっている。また、第１リンク部５２を構成するアーム部材５２１，５２２のうち第１アーム部材５２１は、その一端部がアクチュエータ４の先端部に接続され、支軸５５１によりアクチュエータ４の先端部と第１アーム部材５２１の一端部とが互いに回動可能に軸支されている。また、第１アーム部材５２１の他端部は、支軸５３１により第２アーム部材５２２の他端部と互いに回動可能に軸支されている。また、第１アーム部材５２１は、一端部と他端部との間（この場合、一端部側に近い位置）で筐体１に固定された支軸５３２に軸支されており、アクチュエータ４の伸縮駆動に応じて支軸５３２回りに回動可能に設けられている。
【００５３】
また、第２アーム部材５２２の他端部は、扉２に設けられた三つある軸部２９１〜２９３のうちの一つの軸部２９２に軸支されている。なお、軸部２９２は、上側の軸部２９１と下側の軸部２９１との間に配置されている。これにより、アクチュエータ４が伸縮駆動すると、ガイド機構５を介して扉２に駆動力が伝達され、扉２が上下移動されるようになっている。また、第１リンク部５２の第２アーム部材５２２の他端部（軸部２９２）には定荷重ばね（定トルクばね）５４が取り付けられており、定荷重ばね５４により扉２の上下移動を補助することで、扉２を円滑に上下移動できるようになっている。
【００５４】
なお、扉２の開閉位置は、センサ（受信部）３５により検知することとしており、第２アーム部材５２２に発信部（発光素子やマグネット等）３６が取り付けられ、発信部３６からの光や磁力等を検知して扉２の移動が制御される。
【００５５】
次に、図１０に示すように、第２リンク部５３を構成する第３アーム部材５２３の一端部は、第１アーム部材５２１の一端部と他端部との間に接続され、第３アーム部材５２３と第１アーム部材５２１とは互いに回動することがないように一体に固定されている。このため、第３アーム部材５２３は、第１アーム部材５２１とともに、支軸５３２回りに回動可能に設けられている。一方、第３アーム部材５２３の他端部には軸部５３３が設けられており、軸部５３３が仕切り部材７の前方側に固定されたカムプレート７３のスロット部７３１に係合して設けられている。また、スロット部７３１は略円弧状に形成されており、第３アーム部材５２３の他端部の軸部５３３は、スロット部７３１内に摺動可能に設けられている。つまり、第３アーム部材５２３の軸部５３３は、スロット部７３１の延伸方向に沿って移動しながら、仕切り部材７に駆動力を伝達するようになっている。
【００５６】
また、仕切り部材７の側面部の後方側には軸部５３４が設けられており、この軸部５３４が第４アーム部材５２４の一端部に接続されている。そして、第４アーム部材５２４と仕切り部材７とが、互いに軸部５３４回りに回動可能に設けられている。また、第４アーム部材５２４の他端部は、筐体１に固定された軸部５３５に接続されており、第４アーム部材５２４は軸部５３５回りに回動可能に設けられている。これにより、仕切り部材７は、扉２が上下移動されると、第４アーム部材５２４を介して軸部５３５回りに回動し、全体がシンク２１の上下に僅かに移動可能に設けられている。
【００５７】
また、仕切り部材７の後端部には、仕切り部材７を上方に移動させる際に、その移動を補助するばね部材７４が設けられている。この場合、ばね部材７４は、ばね蝶番で構成されており、チャンバ１１（筐体１）の後壁部と仕切り部材７の後壁部との間に、２個取り付けられている。そして、各ばね部材７４は、チャンバ１１と仕切り部材７との間で挟持（圧縮）されることで、仕切り部材７を前方側に向けて付勢するようになっている。これにより、仕切り部材７を上方に移動させる際には、仕切り部材７を前方側に押し出し、上方への移動を補助するようになっている。なお、ばね部材７４は、ばね蝶番に限定されるものではなく、板ばね、トーションばね、圧縮コイルばね及びゴム部材等を用いることもできる。
【００５８】
［扉の開閉動作及び仕切り部材の開閉動作］
次に、このように構成される処理装置１０１における扉２の開閉駆動と、仕切り部材７（蓋部７２）の開閉駆動について、図面を用いて詳しく説明する。
図５、図７及び図１０（図１０の実線）に示すように、扉２を閉じた状態では、アクチュエータ４が伸長した状態となっており、第１リンク部５２の第１アーム部材５２１と第２アーム部材５２２とが折り畳まれた状態とされている。この状態から、図４、図６及び図１０（図１０の二点鎖線）に示すようにアクチュエータ４を短くすると（縮ませると）、第１アーム部材５２１が支軸５３２回りに（図５、図７及び図１０では、時計回りに）回動する。これにより、第１アーム部材５２１の一端部が下方向に移動し、他端部が上方向に移動する。この際、第１アーム部材５２１の他端部に接続された第２アーム部材５２２の一端部が、第１アーム部材５２１の他端部とともに上方向に持ち上げられることで、第１アーム部材５２１と第２アーム部材５２２との間が開かれる。そして、軸部２９２に接続されている第２アーム部材５２２の他端部（軸部２９２）がガイドレール部５１の溝部５１１に沿って上方向に移動することで、扉２が上方向に持ち上げられ、扉２が開かれる。
【００５９】
この際、第２リンク部５３は、第１アーム部材５２１と一体に固定された第３アーム部材５２３が支軸５３２回りに回動することで、図４、図６及び図１０（図１０の二点鎖線）に示すように、第３アーム部材５２３の他端部が上方向に移動する。そして、第３アーム部材５２３の他端部にカムプレート７３を介して接続された仕切り部材７の前方側が、第３アーム部材５２３の他端部とともに上方向に持ち上げられ、仕切り部材７の後方側を支点として回動する。この際、仕切り部材７の後端部にばね部材７４が設けられているので、仕切り部材７がばね部材７４により前方側に押し出され、上方への移動が補助される。そして、仕切り部材７は、後方側を支点として回動するとともに、全体がシンク２１の上方に僅かに移動して持ち上げられ、シンク２１の上部が開放される。このように、仕切り部材７は、筐体１の扉２を開けて第２処理槽２０の前方を開放したときに、扉２と連動して、シンク２１の上部を開放するようになっている。
【００６０】
また、このように扉２が開いた状態から扉２を閉じるには、図４、図６及び図１０（図１０の二点鎖線）に示すように縮んだ状態のアクチュエータ４を、図５、図７及び図１０（図１０の実線）に示すように伸長させる。アクチュエータ４を伸長させると、第１リンク部５２の第１アーム部材５２１が支軸５３２回りに（図４、図６及び図１０では、反時計回りに）回動する。これにより、第１アーム部材５２１の一端部が上方向に移動し、他端部が下方向に移動する。この際、第１アーム部材５２１の他端部に接続された第２アーム部材５２２の一端部が、第１アーム部材５２１の他端部とともに下方向に下げられることで、図５、図７及び図１０（図１０の実線）に示すように、第１アーム部材５２１と第２アーム部材５２２との間が閉じて、第１アーム部材５２１と第２アーム部材５２２とが折り畳まれる。そして、軸部２９２に接続されている第２アーム部材５２２の他端部がガイドレール部５１の溝部５１１に沿って下方向に移動することで、扉２が下方向に下げられ、扉２が閉じられる。
【００６１】
この際、第２リンク部５３は、第１アーム部材５２１と一体に固定された第３アーム部材５２３が支軸５３２回りに回動することで、図５、図７及び図１０（図１０の実線）に示すように、第３アーム部材５２３の他端部が下方向に移動する。そして、第３アーム部材５２３の他端部にカムプレート７３を介して接続された仕切り部材７の前方側が、第３アーム部材５２３の他端部とともに下方向に引き下げられ、仕切り部材７の後方側を支点として回動する。また、仕切り部材７は、後方側を支点として回動するとともに、全体がシンク２１に向けて下方に僅かに移動して引き下げられる。そして、シンク２１の上部に蓋部７２が接続され、シンク２１の上部が蓋部７２により閉じられる。このように、仕切り部材７は、筐体１の扉２を閉じて第２処理槽２０の前方を閉鎖したときに、扉２と連動して、シンク２１の上部を閉じるようになっている。
【００６２】
また、前述したように、仕切り部材７の前方側には押し込みタブ７１１が設けられているので、扉２が閉じられる際に、扉２の下端の引き下げタブ２１１が仕切り部材７の押し込みタブ７１１に当接して、扉２の移動とともに、押し込みタブ７１１を下方に押し込むことができる（図６及び図７参照）。これにより、仕切り部材７の下方への移動を補助することができ、仕切り部材７をチャンバ１１の下部に嵌め込み、第１処理槽１０と第２処理槽２０との間を閉鎖することができる。
【００６３】
なお、処理装置１０１には、扉２の開閉操作や、両処理槽１０，２０の運転等の操作を行うフットスイッチ６が備えられており、作業者は、足元に置かれたフットスイッチ６を操作することにより、手を触れることなく処理装置１０１の操作を行えるため、感染のリスクを少なくできる。
なお、本実施形態の処理装置１０１には３つのフットスイッチ６１〜６３が備えられており、図１及び図２において手前に配置される一番目のフットスイッチが扉の開閉用スイッチ６１、中央に配置される二番目のフットスイッチが第１処理槽１０の第１運転プログラム開始スイッチ６２、最も奥側に配置される三番目のフットスイッチが第２処理槽２０の第２運転プログラム開始スイッチ６３とされる。
【００６４】
［再利用可能な容器の洗浄および乾燥方法］
このように構成される処理装置１０１において、再利用可能な容器３１を洗浄する場合には、まず、開閉用スイッチ６１を操作して扉２を開き、第１処理槽１０の前方の開口部から、チャンバ１１内の支持具１２の支柱１３に容器３１の開口部を外挿し、被洗浄位置に支持する。そして、第１処理槽１０の運転プログラムをスタートさせる。本実施形態の処理装置１０１では、第１運転プログラム開始スイッチ６２の操作により、第１処理槽１０の運転プログラムをスタートさせることができる。第１処理槽１０の運転プログラムをスタートさせると、扉２が閉まり、第１処理槽１０と第２処理槽２０が閉鎖される。そして、第１処理槽１０と第２処理槽２０とが閉鎖された後、第２電磁弁８１２及び第３電磁弁８１３が閉鎖され、第１電磁弁８１１が開放される。これにより、接続管９０１を介して第１分岐管９０２に洗浄液が供給され、第１ノズル４１及び第２ノズル４２から洗浄液が放出されることで、容器３１が洗浄される。
【００６５】
この容器３１の洗浄中は、上部の第１ノズル４１から洗浄液が容器３１の外周面に噴射されるだけではなく、容器３１の内部に挿入された支柱１３の先端の第２ノズル４２や細孔１４により、容器３１の内周面（内部）にも洗浄液が噴射される。そして、容器３１の内部に噴射され、容器３１内を洗浄し終わった洗浄液等は、容器３１の開口部が斜め下方を向くようになっていることから、自重で容器３１内から流出される。また、第１処理槽１０で使用した使用後の洗浄液は、第２処理槽２０に流下して、排液系８から下水に排出される。
【００６６】
そして、容器３１の洗浄終了後には、第１電磁弁８１１が閉鎖され、第３電磁弁８１３が開放される。これにより、送風器９１５から加熱された乾燥気体が接続管９０１を介して第１分岐管９０２に供給される。この際、洗浄液には乾燥促進剤が混合されているので、容器３１の表面の濡れ性が高められ、容器３１の表面には洗浄液が薄い膜のように付着した状態となる。この状態の容器３１に対して第１ノズル４１及び第２ノズル４２から乾燥気体が放出されることで、容器３１の表面に付着した洗浄液が円滑に蒸発させられ、容器３１が乾燥する。
【００６７】
また、容器３１の乾燥終了後には扉２が開かれ、第１運転プログラムが終了したことを作業者に知らせる。これにより、作業者は、洗浄済の容器３１を第１処理槽１０から取り出すことができる。また、開いた状態の扉２は、開閉用スイッチ６１を操作することにより、閉じることができる。
【００６８】
［使い捨て容器の分解方法］
また、処理装置１０１において、使い捨て容器３２を廃棄処理する場合には、開閉用スイッチ６１を操作して扉２及び蓋部７２を開く。そして、第２処理槽２０の前方の開口部から、シンク２１内に容器３２を投入した後、第２処理槽２０の運転プログラムをスタートさせる。本実施形態の処理装置１０１では、第２運転プログラム開始スイッチ６３の操作により、第２処理槽２０の運転プログラムをスタートさせることができる。第２処理槽２０の運転プログラムをスタートさせると、扉２が閉まり、第１処理槽１０と第２処理槽２０とが閉鎖される。また、扉２が閉まるとともに、蓋部７２によりシンク２１の上部が閉鎖される。そして、第３電磁弁８１３が閉鎖され、第１電磁弁８１１及び第２電磁弁８１２が開放される。これにより、ノズル４１〜４３から洗浄液が放出され、第１処理槽１０のチャンバ１１内の洗浄が行われる。この際、第１処理槽１０で使用された洗浄液が仕切り部材７の連通口部７１２を介して第２処理槽２０に流下されることで、シンク２１内に洗浄液が貯留される。これにより、シンク２１内の容器３２が洗浄液に浸される。そして、第１処理槽１０の洗浄終了後に、撹拌器２２によりシンク２１内の洗浄液と容器３２とが攪拌され、容器３２が分解される。また、容器３２は、分解されることで洗浄液と合わさり、液状となる。
【００６９】
容器３２の分解後、シンク２１内の洗浄液と容器３２とは、シンク２１の下部に接続された排液系８から下水に排出される。容器３２の廃棄処理後は、再度、ノズル４１〜４３から洗浄液が噴射され、シンク２１の洗浄が行われる。この際、第２処理槽２０では、仕切り部材７の連通口部７１２から供給される洗浄液を、流水受け部７２２によって蓋部７２の天井部７２１の下面に向けて流すことができるので、洗浄液を天井部７２１の下面に伝わせてシンク２１内に流すことができる。したがって、洗浄液により天井部７２１の下面を洗浄しながら、その洗浄液をシンク２１内に流下させることができ、蓋部７２とシンク２１の衛生状態を良好に保つことができる。
【００７０】
シンク２１の洗浄終了後には扉２が開かれ、第２運転プログラムが終了したことを作業者に知らせる。なお、開いた状態の扉２は、開閉用スイッチ６１を操作することにより、閉じることができる。
【００７１】
［再利用可能な容器及び使い捨て容器の同時処理］
また、処理装置１０１では、再利用可能な容器３１の洗浄処理と、使い捨て容器３２の廃棄処理とを同時に行うこともできる。この場合も、まず、開閉用スイッチ６１を操作して扉２を開く。そして、第１処理槽１０の前方の開口部から、チャンバ１１内の支持具１２の支柱１３に再利用可能な容器３１の開口部を外挿し、被洗浄位置に支持する。また、第２処理槽２０の前方の開口部から、シンク２１内に使い捨て容器３２を投入する。次に、第２運転プログラム開始スイッチ６３を操作することで、第２処理槽２０の運転プログラムとともに、第１処理槽１０の運転プログラムをスタートさせる。各運転プログラムをスタートさせると、扉２が閉まり、第１処理槽１０と第２処理槽２０とが閉鎖される。また、第３電磁弁８１３が閉鎖され、第１電磁弁８１１及び第２電磁弁８１２が開放される。これにより、ノズル４１〜４３から洗浄液が放出され、チャンバ１１内の再利用可能な容器３１が洗浄される。
【００７２】
この際、再利用可能な容器３１の洗浄に使用された洗浄液は、仕切り部材７の連通口部７１２を介して第２処理槽２０に流下される。また、第２処理槽２０では、第１処理槽１０から流下された洗浄液がシンク２１内に溜められるとともに、第３ノズル４３から噴射された洗浄液がシンク２１内に溜められ、シンク２１内の使い捨て容器３２が洗浄液に浸される。このように、処理装置１０１では、第１処理槽１０で使用された洗浄液が、第２処理槽２０における使い捨て容器３２の処理にも使用され、洗浄液の有効利用を図ることができる。
【００７３】
シンク２１内の洗浄液と使い捨て容器３２とは、再利用可能な容器３１の洗浄処理後に撹拌器２２により攪拌され、使い捨て容器３２が分解される。使い捨て容器３２は、分解されることで洗浄液と合わさり、液状となる。使い捨て容器３２の分解後、シンク２１内の洗浄液と容器３２とは、シンク２１の下部に接続された排液系８から下水に排出される。
【００７４】
なお、使い捨て容器３２の廃棄処理後は、再度、ノズル４１〜４３から洗浄液が噴射され、チャンバ１１とともにシンク２１の洗浄が行われる。この際、第２処理槽２０では、仕切り部材７の連通口部７１２から供給される洗浄液を、流水受け部７２２によって蓋部７２の天井部７２１の下面に向けて流すことができ、洗浄液を天井部７２１の下面に伝わせてシンク２１内に流すことができる。したがって、洗浄液により天井部７２１の下面を洗浄しながら、その洗浄液をシンク２１内に流下させることができ、蓋部７２とシンク２１の衛生状態を良好に保つことができる。
【００７５】
そして、シンク２１の洗浄処理後に、第１電磁弁８１１及び第２電磁弁８１２が閉鎖され、第３電磁弁８１３が開放される。これにより、送風器９１５から加熱された乾燥気体が接続管９０１を介して第１分岐管９０２に供給され、第１ノズル４１及び第２ノズル４２から乾燥気体が放出されることで、再利用可能な容器３１が乾燥させられる。
【００７６】
そして、再利用可能な容器３１の乾燥処理終了後に扉２が開かれ、第２運転プログラムが終了したことを作業者に知らせる。これにより、作業者は、洗浄済の再利用可能な容器３１を第１処理槽１０から取り出すことができる。なお、開いた状態の扉２は、開閉用スイッチ６１を操作することにより、閉じることができる。
【００７７】
このように、処理装置１０１では、第１処理槽１０において再利用可能な容器３１の洗浄を行い、第２処理槽２０において使い捨て容器３２の分解処理を行うことができ、容器に応じて処理槽１０，２０を使い分け、適切な処理を行わせることができる。
【００７８】
また、処理装置１０１では、第１処理槽１０と第２処理槽２０との間に仕切り部材７を配置したので、第１処理槽１０に再利用可能な容器３１を設置する際に誤って再利用可能な容器３１を落下させることがあっても、仕切り部材７上に落下させることができる。したがって、再利用可能な容器３１が第２処理槽２０まで到達することを回避できる。また、第２処理槽２０で使い捨て容器３２を攪拌する際に、その衝撃により使い捨て容器３２の破片や液が上方に飛散するおそれがあるが、第１処理槽１０と第２処理槽２０との間に仕切り部材７を配置したので、第２処理槽２０内の飛散物が第１処理槽１０まで到達することを防止できる。
【００７９】
また、この処理装置１０１では、第１処理槽１０の下方に第２処理槽２０を配置し、仕切り部材７の一部に形成された連通口部７１２を介して第１処理槽１０から流下する洗浄液を自然に第１処理槽１０から第２処理槽２０へ流下させるようにしたので、ポンプ等の付帯設備が少なくでき、省力化とともに、小型化を図ることができる。また、第１処理槽１０から流下する洗浄液により、第１処理槽１０において洗浄処理を行う度に、併せて第２処理槽２０内の洗浄も行うことができ、処理装置１０１の衛生状態を良好に保つことができる。また、第２処理槽２０の液の全部又は一部に第１処理槽１０で使用した洗浄液を使用することで、洗浄液の有効利用を図ることができる。
【００８０】
また、処理装置１０１では、扉２を第１処理槽１０及び第２処理槽２０の前面に沿って上下に移動させる構造としたので、扉２の開閉のためのスペースを処理装置１０１の前方に大きく確保する必要がなく、処理装置１０１の設置スペースを小さくできる。また、仕切り部材７の前方側を上下に回動可能に設けたので、仕切り部材７の可動範囲を比較的小さくでき、処理装置１０１の小型化を図ることができる。
【００８１】
また、処理装置１０１では、第２処理槽２０のシンク２１の上部を開閉する蓋部７２を、第１処理槽１０及び第２処理槽２０の開閉と連動して開閉できるようにしたので、扉２と蓋部７２とを個別に操作することなく、作業性を向上できる。
また、扉２を閉じているときには、第２処理槽２０のシンク２１の上部を蓋部７２により確実に閉じておくことができるので、使い捨て容器３２の処理中に洗浄液や液がシンク２１の周囲に飛散することを回避でき、処理装置１０１の衛生状態を良好に保つことができる。
【００８２】
なお、仕切り部材７は、第１実施形態の処理装置１０１のように、開閉動作可能に構成される場合に限定されるものではない。
例えば、図１１に示す第２実施形態の医療・介護用容器の処理装置１０２のように、仕切り部材７を第１処理槽１０と第２処理槽２０との間に固定して構成することもできる。
なお、第２実施形態の処理装置１０２において、第１処理槽１０や第２処理槽２０の構成は、第１実施形態の処理装置１０１と同じものであり、図１１において、第１実施形態と共通する要素には同一符号を付して説明を省略する。
【００８３】
第２実施形態の処理装置１０２では、図１１に示すように、第１処理槽１０と第２処理槽２０との間を仕切る仕切り部材７が平板状に形成されており、筐体１の後方側から前方側にかけて漸次上方に向けて傾斜して設けられている。また、仕切り部材７の後端部に連通口部７１２が設けられ、第１処理槽１０から流下する洗浄液を下方に配置された第２処理槽２０のシンク２１に流下可能としている。
【００８４】
また、第２処理槽２０には、仕切り部材７の下面に向けて液を噴射し、シンク２１に液を供給するシンク用ノズル４４が設けられている。シンク用ノズル４４は供給配管９１の接続管９０１に接続されている。したがって、第２処理槽２０には、第３ノズル４３とシンク用ノズル４４との二つのノズルが設けられている。そして、供給配管９１から第３ノズル４３とシンク用ノズル４４とを通じてシンク２１内に洗浄液が供給されるようになっている。
【００８５】
第２実施形態の処理装置１０２においても、第１処理槽１０と第２処理槽２０との間が仕切り部材７により仕切られているので、第１処理槽１０で洗浄を行う再利用可能な容器３１を誤って落下させることがあっても、仕切り部材７上に落下し、第２処理槽２０まで容器３１が到達することを回避できる。また、第１処理槽１０のノズル４１，４２からチャンバ１１内に供給された洗浄液は、連通口部７１２を通じて第２処理槽２０に流下されるようになっており、その洗浄液を第２処理槽２０のシンク２１で貯留することで（溜めることで）、第２処理槽２０の液として使用可能となっている。
【００８６】
また、処理装置１０２では、仕切り部材７を筐体１の後方側から前方側にかけて漸次上方に向けて傾斜して設けることで、第１処理槽１０から流下する洗浄液を後端部の連通口部７１２に向けて自然に集めることができる。したがって、連通口部７１２を通じて円滑に第２処理槽２０のシンク２１内に洗浄液を流下させることができ、洗浄液を有効利用できる。また、第２処理槽２０内においてシンク用ノズル４４から噴射された液も、仕切り部材７の下面を伝わせて仕切り部材７の後端部側に自然に集めることができ、円滑にシンク２１内に流下させることができる。したがって、シンク用ノズル４４から噴射される洗浄液により仕切り部材７の下面を洗浄しながら、その洗浄液をシンク２１内に流下させることができ、仕切り部材７及びシンク２１の衛生状態を良好に保つことができる。
【００８７】
なお、本発明は上記各実施形態に限定されるものではなく、本発明の趣旨を逸脱しない範囲において種々の変更を加えることが可能である。
例えば、上記各実施形態では、微酸性電解水に乾燥促進剤が混合された液体を洗浄液として用いることとしたが、これに限らず、例えば、洗浄液として水を用いてもよいし、該水に乾燥促進剤を混合しなくてもよい。この場合、上記各実施形態では、微酸性電解水生成器９１１、及び混合器９１３はなくてもよく、タンク９１２内に水を貯留しておけばよい。また、洗浄液には、撥水剤を含んでもよい。撥水剤は、これが付着した物質の表面張力を高める（濡れ性を低下させる）機能を有しているため、この洗浄液により洗浄された再利用可能な容器３１の表面の表面張力が高まり、該表面には、洗浄液が複数の水滴が付着した状態となる。このため、ノズル４１，４２から乾燥気体が供給されると、該乾燥気体により複数の水滴が吹き飛ばされ、上記水滴を除去できる。
【００８８】
また、上述した第１実施形態及び第２実施形態の処理装置１０１，１０２では、一つの扉２により、第１処理槽１０と第２処理槽２０との両方を開閉する構成としたが、扉は、各処理槽１０，２０に個別に設けてもよい。また、扉２の移動は上下方向のスライドに限定されるものではなく、扉を左右方向にスライドする構成としてもよい。この場合においても、扉を第１処理槽１０及び第２処理槽２０の前面に沿って移動させる構成とすることで、処理装置の設置スペースを小さくできる。また、扉は、本実施形態のようにスライド方式による開閉動作に限定されるものではないし、扉と仕切り部材との連動機構も、本実施形態の構成に限定されるものではない。
【００８９】
また、上記の処理装置１０１，１０２では、第２処理槽２０に洗浄液を供給可能な第３ノズル４３を設けて、第２処理槽２０の液として、第１処理槽１０から流下する洗浄液と第３ノズル４３から供給される洗浄液とを使用し、第２処理槽２０の液の一部に第１処理槽１０から流下する洗浄液を含むことを可能としていたが、第２処理槽２０の液の全部を第１処理槽１０から流下する洗浄液として使用することも可能である。
また、第２処理槽２０のみを使用する場合は、第１処理槽１０から流下する洗浄液を使用せず、第３ノズル４３から供給される洗浄液のみを使用することも可能である。
【符号の説明】
【００９０】
１  筐体
２  扉
３  開閉駆動部
４  アクチュエータ
５  ガイド機構
６  フットスイッチ
７  仕切り部材
８  排液系
１０  第１処理槽
１１  チャンバ
１２  支持具
１３  支柱
１４  細孔
２０  第２処理槽
２１  シンク
２２  撹拌器
３１  再利用可能な容器
３２  使い捨て容器
３５  センサ
３６  発信部
４１  第１ノズル
４２  第２ノズル
４３  第３ノズル
４４  シンク用ノズル
５１  ガイドレール部
５２  第１リンク部
５３  第２リンク部
５４  定荷重ばね
６１  開閉用スイッチ
６２  第１運転プログラム開始スイッチ
６３  第２運転プログラム開始スイッチ
７１  集液部
７２  蓋部
７３  カムプレート
７４  ばね部材
８１  供給選択部
９１  供給配管
９２  送風配管
１０１，１０２  医療・介護用容器の処理装置（処理装置）
２１１  引き下げタブ
２９１，２９２，２９３  軸部
５１１  溝部
５２１  第１アーム部材
５２２  第２アーム部材
５２３  第３アーム部材
５２４  第４アーム部材
５３１，５３２，５５１  支軸
５３３，５３４，５３５  軸部
７１１  押し込みタブ
７１２  連通口部
７１３  細孔
７２１  天井部
７２２  流水受け部
７２３  軸部
７３１  スロット部
８１１  第１電磁弁
８１２  第２電磁弁
８１３  第３電磁弁
９０１  接続管
９０２  第１分岐管
９０３  第２分岐管
９１１  微酸性電解水生成器
９１２  タンク
９１３  混合器
９１４  ポンプ
９１５  送風器
【図１】
2019058273.tif 000003
【図２】
2019058273.tif 000004
【図３】
2019058273.tif 000005
【図４】
2019058273.tif 000006
【図５】
2019058273.tif 000007
【図６】
2019058273.tif 000008
【図７】
2019058273.tif 000009
【図８】
2019058273.tif 000010
【図９】
2019058273.tif 000011
【図１０】
2019058273.tif 000012
【図１１】
2019058273.tif 000013